(57)【特許請求の範囲】
【請求項１】
便器に装着される衛生洗浄装置において、
前記便器の所定部位に形成された取付穴に締結部材を嵌挿することにより、前記便器に取付固定されるベースプレートを備え、
前記ベースプレートは、
挿入された締結部材を上下動自在な状態で支持する貫通孔と、
前記貫通孔に挿通された前記締結部材の頭部の上方への最大突出距離を一定距離で止めるストッパと、
前記ベースプレートの外周部に下方に突出して形成され、前記便器の外周面と当接したとき前記貫通孔が前記便器の取付穴に位置合せされるように配置された外側ガイドとを有し、
前記締結部材が前記ストッパにより押さえられた状態において前記外側ガイドの先端が前記貫通穴に支持された締結部材の先端より下方に突出していることを特徴とする衛生洗浄装置。
【発明の詳細な説明】
【０００１】
【発明の属する技術分野】
本発明は便器に取付固定され、用便後の人体の局部等を洗浄するための衛生洗浄装置の改良に関するものである。
【０００２】
【従来の技術】
従来、上記衛生洗浄装置の便器への取付作業は、そのケーシング１底面の複数本のボルト３が、便器５後部上面の対応する各ボルト穴７に夫々挿入されるように、上方からケーシング１を位置決めして便器５後部上面に載置し、各ボルト穴７に挿入された各ボルト３を締結することにより行われていた（図１及び図２参照）。
【０００３】
【発明が解決しようとする課題】
ところで、上記位置決め作業においては、作業者９がケーシング１を便器５後部上方に持ち上げた状態で、各ボルト３と各ボルト穴７の位置を目視により確認することができないまま作業者９自身の勘だけを頼りに各ボルト３を夫々対応するボルト穴７に同時に挿入しなければならない。
【０００４】
しかし、ケーシング１は、洗浄液噴射ノズル等の機器類（図示しない）が内蔵されているためにかなり重量があり、作業者９の勘だけを頼りにした上記位置決め作業を、このように重量のある装置本体１を持ち上げた状態で行うのはかなり困難であった。
【０００５】
そのため、位置決めが終了するまで多くの手間と時間とを要することとなり、作業性が非常に悪いという問題点があった。
【０００６】
従って本発明の目的は、便器への取付作業において、取付位置の位置決めが容易に行える作業性の良好な衛生洗浄装置を提供することにある。
【０００７】
【課題を解決するための手段】
本発明の第１の側面は、便器の所定部位に形成された複数の貫通孔に、複数の締結部材を夫々嵌挿することにより前記便器に装着される衛生洗浄装置において、前記複数の締結部材を、前記複数の貫通孔に同時に位置合せするための便器内周面に沿う内側ガイド及び／又は便器外周面に沿う外側ガイドとを備えたことを特徴とする。
【０００８】
本発明の第１の側面に係る好適な実施形態は、内側ガイド及び／又は前記外側ガイドの長さは、複数の締結部材の突出長さより長く設定されていることを特徴とする。
【０００９】
本発明の第２の側面は、便器に装着される衛生洗浄装置において、前記便器の所定部位に形成された取付穴に締結部材を嵌挿することにより、前記便器に取付固定されるベースプレートを備え、前記ベースプレートは、挿入された締結部材を上下動自在な状態で支持する貫通孔と、前記貫通孔に挿通された前記締結部材の頭部の上方への最大突出距離を一定距離で止めるストッパと、前記ベースプレートの外周部に下方に突出して形成され、前記便器の外周面と当接したとき前記貫通孔が前記便器の取付穴に位置合せされるように配置された外側ガイドとを有し、前記締結部材が前記ストッパにより押さえられた状態において前記外側ガイドの先端が前記貫通穴に支持された締結部材の先端より下方に突出していることを特徴とする。
【００１０】
本発明の第１の側面によれば、便器内周面に沿う内側ガイド及び／又は便器外周面に沿う外側ガイドとにより、複数の締結部材を前記複数の貫通孔に同時に位置合せすることができるので、従来のような面倒な位置決め作業が不要となった。
【００１１】
本発明の第１の側面に係る好適な実施形態によれば、ガイドは締結部材の長さよりも長いので、作業者が誤って衛生洗浄装置を落下させても、先端部が直接床面等に衝突して折損するのを防止することができる。
【００１２】
また、本発明の第２の側面によれば、複数の締結部材は衛生洗浄装置が便器に取付けられるときにガイド長よりも短くなるように縮み、ガイドによって貫通孔に位置合せされたときにガイド長よりも長くなるので、ガイドを比較的短くすることができ、外力に対する機械的強度が向上する。
【００１３】
【実施の形態】
以下、本発明の実施の形態を、図面により詳細に説明する。
【００１４】
図３は、本発明の一実施形態に係る衛生洗浄装置を示す。
【００１５】
上記装置は、洗浄液噴射ノズルや温風吹出し機等の各種機器類（いずれも図示しない）を内蔵するケーシング２１と、このケーシング２１の下端部から下方に延在する内側スカート部材２３及び一対の外側スカート部材２５（図３では片側のみ示す）と、ケーシング２１の底部に嵌挿される複数本（本実施形態では、図４及び図６に示すように４本）のボルト２７とを備える。
【００１６】
便器２９の後部上面には、図５に示すような配置でボルト２７を通すための貫通孔３１が複数個（本実施形態では４個）形成されている。一方、ケーシング２１の底部にも、上記各貫通孔３１に夫々対応する位置にボルト２７を通すための貫通孔が複数個（本実施形態では４個）形成されており、これら各貫通孔には、夫々ボルト２７が予め嵌挿されている（図４及び図６も併せて参照）。
【００１７】
一対の外側スカート部材２５及び内側スカート部材２３は、ケーシング２１の便器２９後部上面への取付作業に際し、単にこれら両部材２５、２３により画定される空間内に便器２９後部上面を挿入した後、微小移動するだけで、各ボルト２７が同時に各貫通孔３１に挿入されるような位置決めを可能にするために設けられている。
【００１８】
即ち、一対の外側スカート部材２５は、図５に示すように、図３のＢ―Ｂ´線から見た断面形状が、便器２９の後部両側面から背面にかけての部位を覆えるように、便器２９の後部両角部に沿って夫々略Ｌ字状に形成されている。各外側スカート部材２５は、便器２９後部の外周側において、ケーシング２１が便器２９に取付けられることにより形成される便器２９の後部上面とケーシング２１の底部との隙間を覆うために、悪臭の原因となる尿や汚水等の飛沫や埃は、各外側スカート部材２５の表面に付着する。また、清掃作業において使用される水は、各外側スカート部材２５の表面に沿って流れることとなり、上記隙間へは侵入しない。
【００１９】
本実施形態では、各外側スカート部材２５の縦方向の長さは、作業者等が誤ってケーシング２１を落下させ、ケーシング２１の底部に嵌挿された各ボルト２７の先端部が直接床面等に衝突して折損するのを防止するために、各ボルト２７の突出長さよりも長く設定されている。
【００２０】
内側スカート部材２３は、図５に示すように、図３のＢ―Ｂ´線から見た断面形状が、便器２９の後部において便器２９の内周側上部を覆えるように、便器２９のボール面上端部に沿って略円弧状に形成されている。内側スカート部材２３は、尿や汚水等の飛散の頻度の大きい便器２９の内周側において便器２９の後部上面とケーシング２１の底部との隙間を覆うためのカバー部材として極めて有効に機能し、悪臭の原因となる尿や汚水等の飛沫や埃は、内側スカート部材２３の表面に付着する。また、清掃作業において使用される水は、内側スカート部材２３の表面に沿って流れることとなり、上記隙間へは侵入しない。内側スカート部材２３の縦方向の長さについても、図３に示すように、各ボルト２７の突出長さよりも長く設定されている。
【００２１】
なお、外側スカート部材２５同士の間隔は、便器２９の大きさのバラツキを考慮して各外側スカート部材２５と便器２９の後部側面との隙間が数ｍｍ程度になるように設定されている（図５参照）。また、各外側スカート部材２５の背部と内側スカート部材２３との間隔も、便器２９の大きさのバラツキを考慮して各外側スカート部材２５の背部と便器２９の後部背面との隙間、及び内側スカート部材２３と便器２９の後部内周面との隙間が数ｍｍ程度になるように設定されている（図５参照）。
【００２２】
そのため、ケーシング２１底部の各貫通孔の位置は、例えば、内側スカート部材２３の裏面が便器２９内周面と当接するようにケーシング２１を微小移動したときに、嵌挿されている各ボルト２７が夫々貫通孔３１に同時に挿入されるように設定されているものとする。
【００２３】
次に、上記構成のケーシング２１の取付作業について説明する。
【００２４】
まず、ケーシング２１の底部に形成されている複数個の貫通孔に、夫々ボルト２７を嵌挿する。次に、各ボルト２７を対応する貫通孔３１に同時に挿入するための位置決め工程を実行する。この工程においては、作業者がケーシング２１を持ち上げて各外側スカート部材２５と内側スカート部材２３とによって画定される空間内に便器２９の後部上面を挿入し（図４参照）、次いで、便器２９の後部上面において内側スカート部材２３の裏面が便器２９内周面と当接するようにケーシング２１を図３の太線矢印方向に微小移動するだけで、全部のボルト２７が対応する貫通孔３１に同時に挿入されることとなる。
【００２５】
このようにして、上記位置決め工程が終了した後、各ボルト２７を締結する締結工程を経て、図６及び図７に示すように、ケーシング２１の便器２９に対する取付固定作業が完了する。
【００２６】
以上説明したように本発明の一実施形態によれば、位置決め工程において、作業者がケーシング２１を持ち上げて各外側スカート部材２５と内側スカート部材２３とによって画定される空間内に便器２９の後部上面を挿入するようにケーシング２１を設置するだけで、全部のボルト２７が対応する貫通孔３１に同時に挿入されるような位置決めが行える。そのため、従来のように、作業者が重量のあるケーシングを便器後部上方に持ち上げた状態で、しかも、各ボルトと各貫通孔の位置を目視により確認することができないまま作業者自身の勘だけを頼りに各ボルトを夫々対応する貫通孔に同時に挿入しなければならないという困難な作業が不要となり、作業性の大幅な向上を図ることができる。
【００２７】
また、ケーシング２１を、便器２９の後部上面に取付けることにより便器２９内周側における便器２９の後部上面とケーシング２１との隙間は内側スカート部材２３により、便器２９外周側における隙間は各外側スカート部材２５により夫々覆われることとなるので、これらの隙間に対する悪臭の原因となる尿や汚水の侵入や、清掃時に使用される水等の飛沫及び埃の侵入を防止できる。
【００２８】
また、内側スカート部材２３及び各外側スカート部材２５の縦方向の長さは、ケーシング２１の底部に嵌挿された各ボルト２７の突出長さよりも長く設定されているので、作業者等が便器２９への取付作業中に誤ってケーシング２１を落下させた場合に、各外側スカート部材２５の下端部により各ボルト２７の先端部が直接床面等に衝突するのが阻止されるので、各ボルト２７の折損を防止できる。
【００２９】
また、ケーシング２１の便器２９への取付固定が完了した後、ボルト２７等に弛みが生じても、ケーシング２１のガタツキは、内側スカート部材２３と各外側スカート部材２５とにより防止することができる。
【００３０】
更には、ケーシング２１が便器２９後部上面に取付けられた後は、図７に示すように、ケーシング２１と便器２９とが外観上一体的に構成されているように見えるので、デザイン的にも好ましい。
【００３１】
なお、上記内容は、あくまで本発明の一実施形態に関するものであって、本発明が上記内容にのみ限定されるものでないのは勿論である。即ち、本実施形態では、ケーシング２１の底部に、上述したような構成の一対の外側スカート部材２５及び内側スカート部材を設けることとしたが、外側スカート部材２５のみを設ける構成としても、上述した位置決めは可能である。
【００３２】
また、ガイドとしての内側スカート部材２３や外側スカート部材２５を衛生洗浄装置に設けなくても、便器に固定されたベースプレートに衛生洗浄装置の外周面に沿うスカート部材を設け、ボルト２７を各ボルト穴７に同時に位置合せするようにしてもよい。以下、ベースプレートに外側スカート部材を設けた実施形態について説明する。
【００３３】
図８〜図１２は、本発明の他の実施形態に係る衛生洗浄装置を示す。
【００３４】
本実施形態では、ベースプレート４１は、その底面からボルト４３の頭部を挿入するためのボルト挿入部４５と、ベースプレート４１が便器本体５１上の取付位置にあるときにその貫通孔５２と連通するボルト締結位置を有した、ボルト４３の軸部を通すためのスロット部４７とからなる４個の貫通孔４９を備える。また、ベースプレート４１は、各スロット部４７の先端に、該スロット部４７のボルト締結位置に位置するボルト４３が、便器本体５１上面と圧接して上方に抜けるのを阻止するためのストッパ５３を夫々備える（各貫通孔４９については図８及び図９を、また、各ストッパ５３については図９〜図１２を夫々参照）。
【００３５】
なお、各ストッパ５３は、ボルト４３頭部との当接によりその抜け落ちを阻止する矩形状の天板部と、天板部の支持機能、スロット部４７のボルト締結位置にあるボルト４３を略垂直方向へ落下させる機能、及び図１２で示すナット５４締結時のボルト４３の回転を規制する機能を果たすＬ字状の側壁部とからなる。また、図８において、符号５０は、ロータンク底面の排水口と便器本体の洗浄水取入口との間に介在する便器洗浄水供給穴である。
【００３６】
ベースプレート４１は、更に、該ベースプレート４１を便器本体上の所定取付位置へとガイドする位置決め機能を有した外側スカート部材５５（図１０参照）を備える。
【００３７】
この外側スカート部材５５は、図１０に示すように、便器本体５１への取付作業のし易さを考慮して先端部に向うにつれて薄肉になるように形成されている。
【００３８】
また、外側スカート部材５５の鉛直方向の長さは、図１０に示した状態において、便器本体５１の厚みと締結部材のナットの厚みの和であるＹに、Ｘ（このＸの値は、図１０に示した位置にあるボルト４３の軸部先端と外側スカート部材５５の先端部との間の差分である）Ｘを加算した値に設定されている。ここで、Ｘの値は、スロット部４７のボルト締結位置に位置するボルト４３が、便器本体５１の上面を摺動しながら貫通孔５２に落込んで締結固定されることを考慮すると、少なくとも１０ｍｍ以上であるのが望ましい。
【００３９】
図１２は、ベースプレート４１が、便器本体５１上での所定取付位置に位置合せされたことにより、スロット部４７のボルト締結位置に位置するボルト４３が、自重により便器本体５１の貫通孔５２に落込んでナット（又は、ゴムパッキン）５４を介して便器本体５１に締結固定された状態を示したものである。
【００４０】
上記構成の衛生洗浄装置は、以下の工程を経て便器本体に組付けられる。
【００４１】
まず、図９及び図１１に示すように、複数のボルト４３を、各貫通孔４９のボルト挿入部４５に挿入し、スロット部４７のボルト締結位置に移動させる。この状態で、ベースプレート４１を持ち上げ、便器本体５１の上方に運び、外側スカート部材５５の位置決め機能により、便器本体５１上で取付位置を決める。このとき、複数のボルト４３は、図１０及び図１１に示すように、スロット部４７のボルト締結位置に挿入された状態で、便器本体５１上面を摺動するが、各ボルト４３の先端が便器本体５１上面に圧接されたとしても、ストッパ５３によりスロット部４７から抜け落ちることはない。
【００４２】
このようにして、便器本体５１上面を摺動中に、各ボルト４３の挿入位置が便器本体５１側の貫通孔５２の位置と一致すると、図１２に示すように、各ボルト４３は自重により落下し、頭部を除いて軸部が完全に貫通孔４９、５２に挿入されることとなる。
【００４３】
本実施形態によれば、複数のボルト４３は、ベースプレート４１が便器本体５１上の所定取付位置に位置決めされるまでの間、スロット部４７のボルト締結位置に挿入され、且つ、ストッパ５３により頭部を押さえられた状態で便器本体５１上面を摺動するから、ベースプレート４１が便器本体５１上の所定取付位置に位置決めされるまでの間は、各ボルト４３の軸部の、ベースプレート４１から下方に突出している長さは、スカート部材５５の鉛直方向長さよりも短くなっているので、外側スカート部材５５の鉛直方向の長さを比較的短くすることができ、外力に対する機械的強度を向上させることができる。
【００４４】
【発明の効果】
以上説明したように、本発明によれば、便器への取付作業において、取付位置の位置決めが容易に行える作業性の良好な衛生洗浄装置を提供することができる。
【図面の簡単な説明】
【図１】従来の衛生洗浄装置の、便器への取付工程を示す部分斜視図。
【図２】図１の衛生洗浄装置の、便器への取付工程を示す説明図。
【図３】一実施形態の衛生洗浄装置の、便器への取付工程を示す側面図。
【図４】図３のＡ―Ａ´線断面図。
【図５】図３のＢ―Ｂ´線断面図。
【図６】一実施形態の衛生洗浄装置の、便器への取付作業が完了した状態を示すＡ―Ａ´線断面図。
【図７】一実施形態の衛生洗浄装置の、便器への取付作業が完了した状態を示す斜視図。
【図８】他の実施形態の衛生洗浄装置のベースプレートを示す平面図。
【図９】他の実施形態の衛生洗浄装置のベースプレートと締結部材との関係を示す平面図。
【図１０】図９のＣ―Ｃ´線断面図。
【図１１】図９のＤ―Ｄ´線断面図。
【図１２】図９のＤ―Ｄ´線拡大断面図。
【符号の説明】
２１  ケーシング
２３  内側スカート部材
２５  外側スカート部材
２７  ボルト
２９  便器
３１  貫通孔
【図１】
0003550670.tif 000002
【図２】
0003550670.tif 000003
【図３】
0003550670.tif 000004
【図４】
0003550670.tif 000005
【図５】
0003550670.tif 000006
【図６】
0003550670.tif 000007
【図７】
0003550670.tif 000008
【図８】
0003550670.tif 000009
【図９】
0003550670.tif 000010
【図１０】
0003550670.tif 000011
【図１１】
0003550670.tif 000012
【図１２】
0003550670.tif 000013